(57)【要約】本発明は一種の梭織（織機ともいう）物曲線製織方法及びその織物製品を公開している。その方法は、織機既存の径糸通し、開口、緯糸挿入、緯糸打ち込、卷取など五大作動を基礎に、特徴として直斜歯段階式疏密異形筬を導入し、織機に筬昇降作動を増加させ、運転中の傾斜径糸通しを実現させた。同時に傾斜経糸と緯糸とを緯糸打ち込の時に不垂直交差させ、織物に逐次変化の経糸曲線模様を形成させる。織物製品の特徴として、製品の傾斜径糸通しの経糸は工程条件によって曲線状態が形成できる。出来上がった織物は、相互補完的、順序的、逐次変化する経糸曲線模様が付き、曲線優美な外観特徴を持つ。本発明は各種既存の織機（有杼織機、無杼織機）に使用されることができ、製品の等級を著しく高め、製品附加価値と競争力を向上させることができる。
2005522589.tif 000002
【特許請求の範囲】
【請求項１】
一種のシャットル織機織物径糸曲線製織方法で、特長として以下のステップを含む：
A、垂直、傾斜での径糸通し：織機の径糸通し部を通じて卷取部が決められる卷取量により、織軸の径糸を織口に送るにあたり、昇降部に牽引されて直斜歯段階式疏密異形筬が上下往復作動行い、筬斜筬チップに挟まれる径糸と織物織口は多変化な傾斜状態に形成させされて、該当垂直、傾斜状態で織物の織口に送される。
B、開口：織機開口部が織物の工程条件に基づいて、経糸を上下二層に分け菱形織口にし、かつ上下繰り返し作動させ、緯糸の導入に空間を与える。
C、緯糸挿入：緯糸挿入部作動により、緯糸挿入器が緯糸を菱形織口の二層経糸間に導入する。
D、昇降緯糸打ち込：筬台滑槽に取付けられる直斜歯筬 が昇降作動し、かつ筬台に連れ前後の扇形動揺をして、導入された緯糸を織口に打つ。
E、卷取：織物は卷取部によって織口から引き出される。
【請求項２】
請求項１がいう方法は、特徴として、昇降部の昇降幅と速度は工程条件によって変化できる。
【請求項３】
一種のシャットル織機織物径糸曲線織物で、特徴として、該当織物製品は傾斜径糸通しの経糸と緯糸が不垂直交叉で構成されており、該当経糸が織物において順序的に逐次変化する曲線排列状態とし、織物外観が著しい、又はぼんやりした経糸曲線模様が見られる。
【請求項４】
請求項３が言うシャットル織機織物経糸曲線織物は特徴として経糸と緯糸は各種紡績繊維となり、原材料として、色が同色又は異色とする。
【請求項５】
一種の経糸曲線織物の専用製造装置で、特徴して織機の筬と連接する昇降部及び該当昇降部を駆動する伝動部を含む。上述筬は直斜歯段階式疏密異形筬で、筬ビーム、筬チップ及び筬端を含む。該当筬ビームは上筬ビームと下筬ビームから構成し、該当筬チップは多くあり、それぞれ、傾斜で又は垂直で上筬ビームと下筬ビームの間に固定される。該当筬端は2本あり、筬 の両端においてそれぞれ上筬ビームと下筬ビームの間に固定されている。該当伝動部は昇降部と織機布巻ローラーの間に設置される。
【請求項６】
請求項５が言う述織経糸曲線織物の専用製造装置は、特徴として、その直斜歯段階式疏密異形筬は多くの段階が排列して構成される。各段階の筬チップは上が荒い、下が密、又は下が荒い、上が密な排列で構成される。各段階は、1本又は数本の垂直方向の筬チップが設置されて、筬チップの排列が直斜歯疏密構成となっている。
【請求項７】
請求項５が言う経糸曲線織物専用製造装置は、特徴として、専用装置はまた滑槽を含むが、該当滑槽は機架に固定され、直斜歯段階式疏密異形筬の両端が該当滑槽に設置され、滑槽において上下昇降作動ができる。
【請求項８】
請求項５が言う経糸曲線織物専用製造装置は、特徴として、一つの軸カバーを含む。該当軸カバーは織機の動揺軸につけられ、上述昇降部は軸カバーの上に固定される。
【請求項９】
請求項５が言う経糸曲線織物専用製造装置は、特徴として、昇降部は昇降速度と距離が変化できる昇降構造となっている。
【請求項１０】
請求項５が言う経糸曲線織物専用製造装置は、特徴として、伝動部はチェーン伝動構造となり、主動チェーンホイールは織機布巻ローラーに取付けられ、被動チェーンホイールは織機動揺軸の軸カバーに取付けられる。
【発明の詳細な説明】
【技術分野】
【０００１】
本発明は紡績技術分野におけるシャットル織機織物曲線製織方法及び製品を公開する。
【背景技術】
【０００２】
シャットル織機織物は現在常用の生活資料と生産資料として、衣服生地、装飾材料及び産業用布等分野において広汎に使用されている。伝統的なシャットル織機織物は、始終、経糸（縦方向）と緯糸（横方向）の紡ぎ糸の垂直交叉工程に基づき、かつ織機の径糸通し、開口、緯糸挿入、緯糸打ち込、卷取など五大作動の連動により織られている。特に既存の伝統的な筬は、いずれも垂直歯で、筬歯サイズが一致で、かつ筬歯は全て真直ぐに平行して排列し、密度が一致している。緯糸打ち込の時、筬に緩みがないように筬台で筬を固定している。
【０００３】
既存織機は図1が示にように、軸11、バックビーム12、径糸止めチップ13、開口装置14、筬チップ15、緯糸挿入器16、卷取ローラー17、導入ローラー18、布巻ローラー19から構成する。シャットル織機織物（又は機織物といい、略して織物という）は布縁と平行する経糸100（縦方向長さ）と布縁と垂直する緯糸200（横方向幅）から一定の規律（織物組織）で交織された片状集合物である。織物の形成原理は次の通り：
織軸11は織機の後部下にあり、その上に平行する経糸が巻かれ、径糸通し器で伝動される。経糸100は織軸から出され、后梁12を跨り、径糸切り自動装置の径糸止めチップ13や開口装置14のヘッドル6などを通り、筬チップ15中に入れられる。緯糸200は、緯糸挿入器16（図においてはシャットルとなる）で織口に引き入られ、織口において織物10と形成される。それから織物は卷取ローラー17に引かれ、導入ローラー18により布巻ローラー19に巻かれる。
【発明の開示】
【発明が解決しようとする課題】
【０００４】
上述の既存の製織：方法と設備によって出来上がった織物は、外観が比較的単調で、径糸と緯糸がいずれも90°の直角交叉となっている。織物表面の径糸と緯糸の直線交差により、横方向も縦方向も糸が真直ぐに並び、密度も一致であるため、織物の模様やタイプは限られて多様性がない。
【課題を解決するための手段】
【０００５】
本発明は、既存織物の単純な弱みを避けた結構が新しい、設計が巧妙な織機を発明し、製品等級を一層高め、疎密適度な曲線条形模様付き織物を織る、使用も便利な織物曲線製織方法及びその織物製品を提供している。
【０００６】
本発明の技術原理：
一種のシャットル織機織物径糸曲線製織方法で、特長として以下のステップを含む：
A、垂直、傾斜での径糸通し：織機の径糸通し部を通じて卷取部が決められる卷取量により、織軸の径糸を織口に送るにあたり、昇降部に牽引されて直斜歯段階式疏密異形筬 が上下往復作動行い、筬チップに挟まれる径糸と織物織口は多変化な傾斜状態に形成させされて、該当垂直、傾斜状態で織物の織口に送される。
B、開口：織機開口部が織物の工程条件に基づいて、経糸を上下二層に分け菱形織口にし、かつ上下繰り返し作動させ、緯糸の導入に空間を与える。
C、緯糸挿入：緯糸挿入部作動により、緯糸挿入器が緯糸を菱形織口の二層経糸間に導入する。
D、昇降緯糸打ち込：筬台滑槽に取付けられる直斜歯筬が昇降作動し、かつ筬台に連れ前
後の扇形動揺をして、導入された緯糸を織口に打つ。
E、卷取：織物は卷取部によって織口から引き出される。
【０００７】
上述の方法における昇降部の昇降幅と速度は工程条件によって変化できる。
【０００８】
一種のシャットル織機織物径糸曲線織物で、特徴として、該当織物製品は傾斜径糸通しの経糸と緯糸が不垂直交叉で構成されており、該当経糸が織物において順序的に逐次変化する曲線排列状態とし、織物外観が著しい、又はぼんやりした経糸曲線模様が見られる。
【０００９】
上述シャットル織機織物経糸曲線織物における経糸と緯糸は各種紡績繊維となり、原材料として、色が同色又は異色とする。
【００１０】
一種の経糸曲線織物の専用製造装置で、特徴して織機の筬と連接する昇降部及び該当昇降部を駆動する伝動部を含む。上述筬は直斜歯段階式疏密異形筬で、筬ビーム、筬チップ及び筬端を含む。該当筬ビームは上筬ビームと下筬ビームから構成し、該当筬チップは多くあり、それぞれ、傾斜で又は垂直で上筬ビームと下筬ビームの間に固定される。該当筬端は2本あり、筬の両端においてそれぞれ上筬ビームと下筬ビームの間に固定されている。該当伝動部は昇降部と織機布巻ローラーの間に設置される。
【００１１】
上述織経糸曲線織物の専用製造装置における直斜歯段階式疏密異形筬は多くの段階が排列して構成される。各段階の筬チップは上が荒い、下が密、又は下が荒い、上が密な排列で構成される。各段階は、1本又は数本の垂直方向の筬チップが設置されて、筬チップの排列が直斜歯疏密構成となっている。
【００１２】
上述経糸曲線織物専用製造装置における専用装置はまた滑槽を含む。該当滑槽は機架に固定され、直斜歯段階式疏密異形筬の両端が該当滑槽に設置され、滑槽において上下昇降作動ができる。
【００１３】
上述の経糸曲線織物専用製造装置における専用装置は一つの軸カバーを含む。該当軸カバーは織機の動揺軸につけられ、上述昇降部は軸カバーの上に固定される。
【００１４】
上述経糸曲線織物専用製造装置における昇降部は昇降速度と距離が変化できる昇降構造となっている。
【００１５】
上述の経糸曲線織物専用製造装置における伝動部はチェーン伝動構造となり、主動チェーンホイールは織機布巻ローラーに取付けられ、被動チェーンホイールは織機動揺軸の軸カバーに取付けられる。
【００１６】
本発明は、結構が新しく、順序的に逐次変化する曲線模様が付く織物を製造できる。特にそれにより製造したカラー生地のカラー径糸が優美な曲線形態が呈する。既存の各種（有杼織機、無杼織機）織機に導入されることができ、顕著に製品の等級を高めることが出来る。
【発明を実施するための最良の形態】
【００１７】
本発明における経糸曲線織物製造方法に以下のステップを含む：
A、垂直、傾斜での径糸通し：織機の径糸通し部を通じて卷取部が決められる卷取量により、織軸の径糸を織口に送るにあたり、昇降部に牽引されて直斜歯段階式疏密異形筬が上下往復作動行い、筬チップに挟まれる径糸と織物織口とは多変化な傾斜状態に形成させる。垂直、傾斜の径糸は筬台滑槽に取付けられる直斜歯筬で形成されるが、筬昇降装置が斜歯筬を牽引し上下往復作動し、筬平面の緯糸打ち込機が水平面位置で織物織口（固定位置
）で上下往復作動して、筬斜歯に挟まれる径糸が織物織口と多変化な垂直、傾斜状態に形成させ、径糸が垂直状態を維持し、それから、径糸通し装置が工程条件及び巻取量によって経線を垂直、傾斜の状態で織物の織口に送る。
B、開口：織機開口部が織物の工程条件に基づいて、経糸を上下二層に分け菱形織口にし、かつ上下繰り返し作動させ、緯糸の導入に空間を与える。
C、緯糸挿入：緯糸挿入部作動により、緯糸挿入器が緯糸を菱形織口の二層経糸間に導入する。
D、緯糸打ち込：筬台滑槽に取付けられる直斜歯筬 が筬台に連れ前後の扇形動揺をして、導入された緯糸を織口に打つ。
E、製織：傾斜度が異なる筬に挟まれる経線が筬の昇降作動につれ、限度的に上下往復し、程度異なる偏心作動をし、緯線を織口に異なる水平位置で打ち込み、それで経線と緯線の交叉が非垂直状態となり、曲線織物が織される。
F、織物は卷取部によって織口から引き出される。
【００１８】
上述の方法における昇降部の昇降幅と速度は工程条件によって変化できる。
【００１９】
図2、図3は本発明で織った経糸曲線織物の実施例1と実施例2の結構図である。該当織物製品は傾斜径糸通しの経糸100と緯糸200が不垂直交叉で構成されており、経糸100と緯糸200の色が同色又は異色とする。該当経糸100が織物において順序的に逐次変化する曲線排列状態とし、織物外観が著しい、又はぼんやりした経糸曲線模様300が見えられる。図における矢印の方向は縦方向を示す。
【００２０】
図4は本発明織物製品の実物写真である。
【００２１】
図5、図6は一種の経糸曲線織物の専用製造装置で、織機の筬31と連接する昇降部32及び該当昇降部を駆動する伝動部33を含む。
【００２２】
上述専用装置に一つの滑槽34と一つの軸カバー35を含む。当該滑槽は機架に（図に無い）固定され、直斜歯段階式疏密異形筬の両端が該当滑槽に設置され、滑槽34において上下昇降作動ができる。
【００２３】
上述の経糸曲線織物専用製造装置における専用装置は一つの軸カバーを含む。該当軸カバー35は織機の動揺軸37につけられる。
【００２４】
本発明における昇降部は上昇速度と距離が変化できる上昇機を導入する。本実施例では、凸輪昇降結構を導入しており、当該凸輪昇降結構は一対の変速歯車321及び当該歯車につながる昇降アーム322を含む。変速歯車321は軸カバー35と連接する凸輪3211及び凸輪3211と噛み合っている連動輪3212を含む。昇降アーム322の一端は連動輪3212とつながり、もう一端は筬台36と連接している。昇降アームの定位のため、本発明の専用装置においてはまた固定支架4があり、当該固定支架の一端は織機動揺軸37に固定され、もう一端には穴が開けられ、昇降アーム322は当該穴を通り、上下移動ができる。
【００２５】
本発明における伝動部33は昇降部32と織機布巻ローラー38の間に設置される。本実施例における伝動部33はチェーン伝動構造となり、主動チェーンホイール331は織機布巻ローラー38に取付けられ、被動チェーンホイール332は織機動揺軸の軸カバー35に取付けられ、その間、チェーンで伝動されている。この結構では、織機布巻ローラー38の旋転動力をチェーンを通じて連動輪につながる軸カバー35に伝え、最終的に昇降アーム322の上下往復をさせる。省エネの上、機械の構造も簡単化されている。
【００２６】
図7に示すように、本発明の筬は直斜歯段階式疏密異形筬31で、上筬ビーム311、下筬ビ
ーム312、筬チップ313、及び筬チップ314から構成する。筬チップ313は多くあり、それぞれ、傾斜で又は垂直で上筬ビーム311と下筬ビーム312の間に固定される。筬端314は2本あり、筬チップ313の両端においてそれぞれ上筬ビーム311と下筬ビーム312の間に固定されている。
【００２７】
本発明の直斜歯段階式疏密異形筬 313は多くの段階3131が排列して構成される。各段階の筬チップは上が荒い、下が密、又は下が荒い、上が密な排列で構成される。各段階は、1本又は数本の垂直方向の筬チップ313aが設置される。
【００２８】
本実施例における直斜歯段階式疏密異形筬は多くの上が荒い、下が密、又は下が荒い、上が密な排列で構成される段階3131から構成され、そのとなりの二つの段階は逆方向で相互補完の順番で排列される。即ち一つの段階は直立の扇形で、網一つは逆の扇形となり相互補完している。例えば、一つの上が荒い、下が密の段階3131aと下が荒い、上が密な段階3131bとは交替して排列されている。当該筬排列方式により織った曲線織物は図2のようである。
【００２９】
図8が示すように、本発明がもう一種の直斜歯段階式疏密異形筬を導入できる。うちの各組の筬チップ段階3131はいずれも垂直の直歯筬チップ313aから排列し、次第に傾斜する。また各組の筬チップの一番目の筬チップを垂直させ、他の筬チップを上が荒い、下が密或は、下が荒い、上が密な方式で次第に排列させる。当該筬排列方式を使用した織機が織った曲線織物は図3のようである。
【００３０】
本発明専用装置の工作原理：織機の運転において、本発明の直斜歯段階式疏密異形筬が緯糸打ち込にあたり上下往復垂直（筬台に対し）作動し、経糸は筬斜歯の異なる位置に制御されて異なる程度の経糸垂直、傾斜状態が形成し、経糸と緯糸が織口に打たれる時非垂直交叉を行い、各段階を通る経糸が縦方向の曲線が織られる。織る時、段階が1回上下往復して一つの模様が出来あがる。
【００３１】
本発明は斜歯疏密異形筬規格（筬サイズ、疏密比例、直斜歯比率、段階幅等）の多様性及び昇降凸輪移動距離と変換歯輪の速度比率等工程条件の配置によって、曲線織物の形態が限りなく変化する。
【産業上の利用可能性】
【００３２】
本発明で織られる織物は、全て又は一部の経糸と緯糸とを非垂直交叉させ、それにより織物外観から見れば、生地表面に順序的彎曲上が呈し、経糸排列に相互補完の疏密変化があり、著しい又はぼんやりした雲形模様が形成され、優美な曲線形態に見える。一層製品等級を高め、製品附加価値と競争力を向上させることができる。
【図面の簡単な説明】
【００３３】
【図１】既存技術使用織機結構図。
【図２】本発明による織物製品の実施例1結構図。
【図３】本発明織物製品の実施例2結構図。
【図４】本発明織物製品の実物写真。
【図５】本発明における一種の経糸曲線織物専用製造装置の結構図。
【図６】図5のE-E方向から見た側面図。
【図７】本発明における一種の直斜歯段階式疏密異形筬の結構図。
【図８】本発明におけるもう一種の直斜歯段階式疏密異形筬結構図。
【図１】
2005522589.tif 000003
【図２】
2005522589.tif 000004
【図３】
2005522589.tif 000005
【図４】
2005522589.tif 000006
【図５】
2005522589.tif 000007
【図６】
2005522589.tif 000008
【図７】
2005522589.tif 000009
【図８】
2005522589.tif 000010
【国際調査報告】
2005522589.tif 000011
2005522589.tif 000012
2005522589.tif 000013
2005522589.tif 000014
2005522589.tif 000015
2005522589.tif 000016